(57)【特許請求の範囲】
【請求項１】
搬送装置に吊り下げられて移送される電着塗装用ハンガーの横長な長方形状の側面に設けた取付部に、被塗装体を着脱自在に吸着可能な永久磁石を複数配置するとともに、前記取付部の両端には、被塗装体の下端位置を揃えるための治具が係合する突起を形成したことを特徴とする電着塗装用ハンガー。
【請求項２】
前記搬送装置に吊下げられるハンガー本体と、
このハンガー本体の側面に設けられ、前記永久磁石が複数埋め込まれる板状の取付部とを有し、
さらにこの取付部は非磁性体により構成されていることを特徴とする請求項１記載の電着塗装用ハンガー。
【請求項３】
前記取付部の下端には、被塗装体をハンガー本体の長手方向に沿って等間隔で取付けるためのガイド孔が複数形成されていることを特徴とする請求項２記載の電着塗装用ハンガー。
【発明の詳細な説明】
【技術分野】
【０００１】
本発明は、電着塗装される被塗装体を取付ける電着塗装用ハンガーに関するものである。
【背景技術】
【０００２】
電着塗装は、被塗装体の表面処理を行う前処理工程と、被塗装体を電着槽内で搬送しつつ、被塗装体と電着槽との間に直流電圧を印加することによってその表面に塗料を電着させる電着工程と、被塗装体を洗浄する洗浄工程とを順に行い、被塗装体に塗膜を形成するものである。ここで、被塗装体はコンベア等の搬送装置により移送されて各工程を経るが、搬送装置に吊下げられる導電性の電着塗装用ハンガーに複数の爪部を形成し、これら爪部に被塗装体を係止することが通常である（特許文献１）。
【０００３】
上記の技術においては、電着工程で、爪部に係止された被塗装体の全体が電着塗料に浸かることとなるが、客先のニーズによっては被塗装体の一部にのみ塗膜を形成することが求められることがある。この場合、従来は塗膜を形成したくない箇所に絶縁性のキャップを取付けることによりマスキングをし、マスキングされない部分にのみ塗膜を形成するものとしていた。しかしながら、被塗装体の種類によっては、形状が複雑である等の理由により前記のキャップを取付けることができない場合があった。
【０００４】
そこでキャップによるマスキングに代わり、電着塗装用ハンガーに形成された爪部の仕様をクリップに変更し、電着塗料に対する被塗装体の浸漬量が適切なものとなるよう被塗装体の取付高さを調整した上で、被塗装体をクリップで挟む方法が考えられる。しかしながら、この方法では被塗装体の取付高さを都度確認しながら一つずつクリップで挟む必要があるため非常に作業性が悪く、また隣り合う被塗装体の取付位置にバラつきが生じ易いという問題があった。
【先行技術文献】
【特許文献】
【０００５】
【特許文献１】特開平８−２３２０９５号公報
【発明の概要】
【発明が解決しようとする課題】
【０００６】
本発明の目的は前記した従来の問題点を解決し、被塗装体の形状に関わらず被塗装体の一部にのみ電着塗装を施すことができ、かつ被塗装体の取付作業性が高い電着塗装用ハンガーを提供することである。
【課題を解決するための手段】
【０００７】
上記課題を解決するためになされた本発明は、搬送装置に吊り下げられて移送される電着塗装用ハンガーの横長な長方形状の側面に設けた取付部に、被塗装体を着脱自在に吸着可能な永久磁石を複数配置するとともに、前記取付部の両端には、被塗装体の下端位置を揃えるための治具が係合する突起を形成したことを特徴とするものである。
【０００８】
請求項２記載の発明は、請求項１記載の電着塗装用ハンガーにおいて、前記搬送装置に吊下げられるハンガー本体と、このハンガー本体の側面に設けられ、前記永久磁石が複数埋め込まれる板状の取付部とを有し、さらにこの取付部は非磁性体により構成されていることを特徴とするものである。
【０００９】
請求項３記載の発明は、請求項２記載の電着塗装用ハンガーにおいて、前記取付部の下端には、被塗装体をハンガー本体の長手方向に沿って等間隔で取付けるためのガイド孔が複数形成されていることを特徴とするものである。
【発明の効果】
【００１１】
本発明に係る電着塗装用ハンガーは、被塗装体を着脱自在に吸着可能な永久磁石を、横長な長方形状の側面に複数配置したものである。このように永久磁石を採用したことで、被塗装体の取付高さの微調整が容易となるため、従来のようなクリップを用いる技術と比較して、被塗装体の取付作業性が格段に向上する。さらに、例えば側面の長手方向に沿って延びる一本の金属板を永久磁石に吸着させておけば、被塗装体の取付時に、この金属板が被塗装体の上端と当接することで位置決め部材として機能することとなる。これにより、隣り合う被塗装体の取付位置にバラつきが生じやすいという従来の問題も解決することができる。また、永久磁石を採用したことで、被塗装体の取付高さを調整して電着塗料に対する被塗装体の浸漬量を細かく調整することができるため、被塗装体の形状に関わらず被塗装体の一部にのみ電着塗装を施すことができる。さらに、永久磁石に取付けられる被塗装体の下端位置を揃えるための治具を取り付けることができる。
【００１２】
請求項２に係る発明のように、板状の取付部を非磁性体により構成するものとした。これにより、永久磁石が埋め込まれた箇所に被塗装体が近接した際に、磁力が作用して被塗装体が固定されるものとなるため、仮に取付部を磁性体により構成した場合と比較して、被塗装体の取付が容易となる。
【００１３】
請求項３に係る発明のように、取付部の下端にガイド孔を形成することで、被塗装体の取付がさらに容易となると同時に、被塗装体の取付位置がハンガー本体の長手方向、即ち電着塗装用ハンガーの進行方向に沿って均等となるため、電着塗料に浸漬される時間も均等となり、結果、形成される塗膜の厚さも均一となる効果を奏する。
【図面の簡単な説明】
【００１４】
【図１】本発明の電着塗装用ハンガーを示す斜視図である。
【図２】本発明の電着塗装用ハンガーを示す側面図である。
【図３】本発明の電着塗装用ハンガーを示す正面図である。
【図４】電着工程を示す図である。
【図５】位置決め部材を取付けた状態を示す側面図である。
【図６】治具を示す側面図である。
【図７】治具の係合部を広げた状態を示す側面図である。
【図８】治具を突起に係合させた状態を示す側面図である。
【発明を実施するための形態】
【００１５】
以下に本発明の好ましい実施形態を示す。
図１に示す電着塗装用ハンガー１は、鋼鉄製である断面略コ字状のハンガー本体２と、ハンガー本体２の側面に設けられ、横長な長方形状に形成された板状の取付部３とから構成されている。また図２及び図３のように、ハンガー本体２の上部にはフック４が形成されている。なお、このフック４は図４に示す導電性の吊り金具２０に引っ掛けられる。この吊り金具２０は、従来技術と同様に搬送装置であるコンベア２１に取付けられて図４の矢印に示すように移送されるものであり、また吊り金具２０が電着槽２２の上方を通る際には、吊り金具２０に設けられた図示しない集電子が、コンベア２１に沿って設けられた図示しない給電レールに接触した状態で移送される。これにより、被塗装体５を陰極とし、電着塗料２３または電着槽２２を陽極とした上で直流電圧を印加して、被塗装体５の表面に塗料を電着させることができるものとしている（電着工程）。
【００１６】
図１のように、取付部３の長手方向に沿って、被塗装体５を着脱自在に吸着可能な複数の永久磁石６が等間隔で埋め込まれるようにして配置されている。なお、永久磁石６は上下方向にも２つ並べて配置するものとしているが、この数に限定されるものではない。このように永久磁石６を採用したことで、被塗装体５の取付高さの微調整が容易となるため、従来のようなクリップを用いる技術と比較して、被塗装体５の取付作業性が格段に向上する。さらに、例えば図５に示すように、取付部３の長手方向に沿って延びる一本の金属板により構成される位置決め部材１５を永久磁石６に吸着させておけば、被塗装体５の取付時に、この位置決め部材１５が被塗装体５の上端と当接して被塗装体５の取付位置を揃えることができるため、隣り合う被塗装体５の取付位置にバラつきが生じやすいという従来の問題も解決することができる。また、永久磁石６を採用したことで、被塗装体５の取付高さを調整して電着塗料２３に対する被塗装体５の浸漬量を細かく調整することができるため、図１中に示すような複雑な形状を有する鉤状の被塗装体５であっても、その一部にのみ塗膜（図中黒色塗りつぶし箇所）を形成することができる。
【００１７】
また、取付部３は、非磁性体であるステンレスにより構成するものとしている。これにより、永久磁石６が埋め込まれた箇所に被塗装体５が近接した際に、磁力が作用して被塗装体５が固定されるものとなるため、仮に取付部３を磁性体により構成した場合と比較して、被塗装体５の取付が容易となる。なお、ステンレスに限定されず、非磁性体であればその他の材質により構成しても差し支えない。
【００１８】
図１のように、取付部３の下端には、被塗装体５をハンガー本体２の長手方向に沿って等間隔で取付けるための複数のガイド孔７が形成されている。なお、このガイド孔７の形成位置は、永久磁石６の埋め込み位置と対応させるものとしている。このようにガイド孔７を永久磁石６の埋め込み位置に形成することで、被塗装体５の取付がさらに容易となると同時に、被塗装体５の取付位置がハンガー本体２の長手方向、即ち電着塗装用ハンガー１の進行方向に沿って均等となるため、電着塗料に浸漬される時間も均等となり、結果、形成される塗膜の厚さも均一となる。
【００１９】
図６には、永久磁石６に取付けられる被塗装体５の下端位置を揃えるための治具８を示す。この治具８は、被塗装体５の下端が当接する当接部９と、図２中の取付部３の両端に形成した突起１０に係合される凹部１１及びハンドル１２を備えた２つの係合部１３とにより構成される。この両係合部１３は、図６中の紙面左右方向にそれぞれスライド可能としてある。これにより、図７に示すように両係合部１３を広げた状態で治具８を電着塗装用ハンガー１の下方から設置し、両係合部１３をそれぞれ中央側にスライドさせて突起１０に凹部１１を係合させる。この状態で、図８に示すように被塗装体５を永久磁石６に取付けていくこととなるが、被塗装体５の下端が当接部９に当接するため、その下端位置を図８のように均一に揃えることができるものとなる。なお被塗装体５をすべて取付けた後には、再び両係合部１３をスライドさせて広げ、治具８を取外せば良い。また、凹部１１から当接部９までの距離が異なる治具８を複数種類用意しておくことにより、被塗装体５の下端位置を細かく調整することもできる。
【００２０】
このような治具８を用いて被塗装体５の下端位置を揃えるか、または前述のように位置決め部材１５を用いて被塗装体５の上端位置を揃えるかは、被塗装体５のサイズや形状等に合わせて適宜選択することができる。
【符号の説明】
【００２１】
１  電着塗装用ハンガー
２  ハンガー本体
３  取付部
４  フック
５  被塗装体
６  永久磁石
７  ガイド孔
８  治具
９  当接部
１０  突起
１１  凹部
１２  ハンドル
１３  係合部
１５  位置決め部材
２０  吊り金具
２１  コンベア
２２  電着槽
２３  電着塗料
【図１】
0006695587.tif 000002
【図２】
0006695587.tif 000003
【図３】
0006695587.tif 000004
【図４】
0006695587.tif 000005
【図５】
0006695587.tif 000006
【図６】
0006695587.tif 000007
【図７】
0006695587.tif 000008
【図８】
0006695587.tif 000009